(57)【要約】【課題】個人個人で違いのある顔面の形態を問わず、装着性に高いフレキシビリティがあって量産化に適しているとともに、花粉の侵入の抑制や保湿性を確保できて、花粉症やドライアイの症状に対し相当の軽減効果を期待することができる眼保護用カバーを提供する。【解決手段】左右の両眼を一連に覆うべく左眼左側の目尻領域Ｑから右眼右側の目尻領域Ｑにわたって連続的に形成され、上部２ｃおよび下部２ｄが額下部領域Ｒおよび頬骨領域Ｓとの間に間隙を隔てるとともに、左部２ａおよび右部２ｂが目尻領域との間の隙間を狭めるべく当該目尻領域に接近させて形成された第１カバー部材２と、第１カバー部材にこれに対して気密に取り付けられ、第１カバー部材と両眼を含む顔面領域Ｐとの間に空気滞留空間Ｗを形成するために、第１カバー部材の上部と額下部領域との間の間隙を封鎖すべく当該額下部領域に当接可能な第２カバー部材３とを備えた。【選択図】          図２
2004216034.tif 000002
【特許請求の範囲】
【請求項１】
左右の両眼を含む顔面領域に、当該両眼を覆って装着される眼保護用カバーであって、
上記左右の両眼を一連に覆うべく左眼左側の上記顔面領域から右眼右側の該顔面領域にわたって連続的に形成され、上部および下部が該顔面領域との間に間隙を隔てるとともに、左部および右部が該顔面領域との間の隙間を狭めるべく該顔面領域に接近させて形成された第１カバー部材と、
該第１カバー部材に設けられ、これを鼻に支持させる第１支持部と、
上記第１カバー部材に設けられ、これを左右の耳に支持させる左右一対の第２支持部と、
上記第１カバー部材にこれに対して気密に取り付けられ、該第１カバー部材と当該第１カバー部材で覆った両眼を含む上記顔面領域との間に空気滞留空間を形成するために、該第１カバー部材上部と当該顔面領域との間の間隙を封鎖すべく該顔面領域に当接可能な第２カバー部材と、
を備えたことを特徴とする眼保護用カバー。
【請求項２】
前記第２カバー部材がクッション性を有することを特徴とする請求項１に記載の眼保護用カバー。
【請求項３】
前記第１カバー部材が可撓性を有することを特徴とする請求項１または２に記載の眼保護用カバー。
【請求項４】
前記第２カバー部材には、前記空気滞留空間を当該空気滞留空間の外部と連通させる開口が設けられていることを特徴とする請求項１〜３いずれかの項に記載の眼保護用カバー。
【請求項５】
前記開口は、前記第２カバー部材の最上部に形成されていることを特徴とする請求項４に記載の眼保護用カバー。
【請求項６】
前記第１カバー部材に前記第２カバー部材を気密に取り付けるために、該第２カバー部材には該第１カバー部材の外縁が挿入されて封止される溝部が形成されることを特徴とする請求項１〜５いずれかの項に記載の眼保護用カバー。
【発明の詳細な説明】
【０００１】
【発明の属する技術分野】
本発明は、個人個人で違いのある顔面の形態を問わず、装着性に高いフレキシビリティがあって量産化に適しているとともに、花粉の侵入の抑制や保湿性を確保できて、花粉症やドライアイの症状に対し相当の軽減効果を期待することができる眼保護用カバーに関する。
【０００２】
【従来の技術】
花粉症に起因して生じるかゆみ等の眼の違和感やドライアイなどの症状に対しては、一つの方法として、眼が外気に直接晒されないように眼の周りを枠状の部材などで取り囲むようにし、この枠状の部材で花粉の侵入を抑制したり、あるいは保湿性を確保する方法がある。枠状の部材を用いて花粉症などの症状を軽減することを企図したこの種の従来技術としては例えば、特許文献１に開示された「花粉防止用メガネカバー」や特許文献２に開示された「眼鏡枠」が知られている。
【０００３】
前者は、メガネを着用した状態で、眼の中に侵入する花粉を防止できるように、フックでメガネのフレームに固定して、カバー本体をメガネと顔の間に装着する構成としたもので、カバー本体のメガネレンズ側は、レンズの形状に合わせて加工する一方で、反対の顔側は顔の形状に合わせて加工するようになっている。
【０００４】
後者は、眼鏡枠部に花粉症などの症状を軽減させる機能を付加する、具体的には目の周囲部分を覆う大きさの枠部の見込み部分を顔面と密着できる形状とし、顔面との当接面の任意位置に押圧部を任意数設ける構成としたもので、鍼灸療法で称される経穴を押圧部で押圧することで、症状を軽減させるようにしている。
【０００５】
【特許文献１】
特開平９−１４６０５４号公報
【特許文献２】
特開平１０−３２８２３０号公報
【０００６】
【発明が解決しようとする課題】
ところで、上記従来技術のように、顔側が顔の形状に合わせて加工されるカバー本体や、見込み部分を顔面と密着できる形状とした枠部によって症状の軽減効果を確保するようにしたものでは、個体差があって一定ではない顔面の形状を考慮すると、これらカバー本体などを一定の形態として量産化することはできないとともに、他方で、ある一定の形態で量産化したのでは、それがさまざまな使用者の顔面の形態にぴったり合うとは限らず、このため所望の症状軽減効果を得ることはできないという課題があった。
【０００７】
具体的に説明すると、両眼を含む顔面領域、すなわち眼の上部に眉間から左右に広がる額や、こめかみ下方の眼の脇、眼の下部に鼻骨から左右に広がる頬の形態には個人差があり、特に隆起している鼻骨から頬骨にわたる眼の下の部分については、人によってかなり顕著な違いがあって、例えば上記カバー本体の上部を額に密着させると、カバー本体の下部など他の部分が顔面から浮き上がってしまったり、またカバー本体の下部を頬に当てると、それ以外の部分が浮いてしまう。
【０００８】
このように枠状の部材であるカバー本体や枠部の見込み部分を、顔の形状に合わせて顔面に密着させるという構成では、オーダーメイド以外、各人で多様な顔面領域の形態にぴったりとフィットさせることはできず、したがって量産化に対応することができないとともに、また量産化のために一定の寸法としたカバー本体などでは、その性能を適切に発揮させることはできないと考えられる。
【０００９】
本発明は上記従来の課題に鑑みて創案されたものであって、個人個人で違いのある顔面の形態を問わず、装着性に高いフレキシビリティがあって量産化に適しているとともに、花粉の侵入の抑制や保湿性を確保できて、花粉症やドライアイの症状に対し相当の軽減効果を期待することができる眼保護用カバーを提供することを目的とする。
【００１０】
【課題を解決するための手段】
本発明にかかる眼保護用カバーは、左右の両眼を含む顔面領域に、当該両眼を覆って装着される眼保護用カバーであって、上記左右の両眼を一連に覆うべく左眼左側の上記顔面領域から右眼右側の該顔面領域にわたって連続的に形成され、上部および下部が該顔面領域との間に間隙を隔てるとともに、左部および右部が該顔面領域との間の隙間を狭めるべく該顔面領域に接近させて形成された第１カバー部材と、該第１カバー部材に設けられ、これを鼻に支持させる第１支持部と、上記第１カバー部材に設けられ、これを左右の耳に支持させる左右一対の第２支持部と、上記第１カバー部材にこれに対して気密に取り付けられ、該第１カバー部材と当該第１カバー部材で覆った両眼を含む上記顔面領域との間に空気滞留空間を形成するために、該第１カバー部材上部と当該顔面領域との間の間隙を封鎖すべく該顔面領域に当接可能な第２カバー部材と、を備えたことを特徴とする。
【００１１】
第１カバー部材は、第１支持部および第２支持部によって鼻および左右の耳に支持されて、左右の両眼を含む顔面領域を一連に正面から覆うようになっている。
【００１２】
特に本発明にあっては、第１カバー部材で覆われる上記顔面領域を上下左右の４方向に分けて考え、上方および下方については、第１カバー部材と顔面領域とが間隙を隔てるようにする一方で、左方および右方については、第１カバー部材の左部および右部をそれぞれ、左眼左側および右眼右側の両眼の脇のこめかみ下方の顔面領域の左右に接近させている。これに加えて、額に相当する顔面領域の上方については、第１カバー部材に、その上部と顔面領域との間の間隙を封鎖すべく当該顔面領域に当接可能な第２カバー部材を取り付けている。
【００１３】
このように、上記顔面領域の４方向のうち、上方、左方および右方については、顔面領域にほぼ密着させるようにしている一方で、残りの下方については、すなわち個人個人で顔面の形態に顕著な相違が見られる鼻骨から左右の頬骨にわたる顔面領域については、第１カバー部材との間の間隙をそのままとするようにしている。
【００１４】
そして、このように両眼周りの顔面領域に対し、４方向すべてからは密着させないようにすることによって、個人個人で相当の違いがある顔面形態に対する目保護用カバーの寸法設定やデザインに融通を利かせることを可能とし、装着性に高いフレキシビリティを確保できるようにして、量産化に対応させ得るようにしている。
【００１５】
また、上述したように、装着性や量産化を考慮して、顔面領域の下方については、第１カバー部材の下部と顔面領域との間に間隙を隔てるようにしている一方で、第１カバー部材の左部および右部を顔面領域に接近させて隙間を狭め、かつまた第２カバー部材を、第１カバー部材に対し気密に取り付けて、この第２カバー部材を、第１カバー部材上部と顔面領域との間の間隙を封鎖すべく当該顔面領域に当接可能としている。
【００１６】
従って、第１カバー部材の下部が空いているとしても、左方および右方、そしてまた上方の第２カバー部材によって、３方向については空気の流通を制限できるようにし、これにより第１カバー部材とこれで覆った顔面領域との間に空気滞留空間を形成するようにしていることから、この空気滞留空間により、外気が両眼の周りを吹き抜けるなど両眼が外気に直接晒されないようにすることができ、花粉の侵入を抑制したり、保湿性を確保することを可能として、花粉症やドライアイの症状に対し相当の軽減効果を期待し得るようにしている。
【００１７】
また、前記第２カバー部材がクッション性を有することを特徴とする。これにより、顔面領域に対し、第２カバー部材を高い密着性で当接させることが可能となる。
【００１８】
また、前記第１カバー部材が可撓性を有することを特徴とする。これにより、顔面領域に対し、第１カバー部材の左部および右部を接近させ易くすることが可能になるとともに、必要に応じて第１カバー部材の下部を顔面領域に接近させて、当該箇所の間隙も狭め得る。
【００１９】
さらに、前記第２カバー部材には、前記空気滞留空間を当該空気滞留空間の外部と連通させる開口が設けられていることを特徴とする。これにより、第１カバー部材に曇りが生じても、これを除去し得る。
【００２０】
また、前記開口は、前記第２カバー部材の最上部に形成されていることを特徴とする。これにより、第１カバー部材全面から効率よく曇りを除去することが可能となる。
【００２１】
さらにまた、前記第１カバー部材に前記第２カバー部材を気密に取り付けるために、該第２カバー部材には該第１カバー部材の外縁が挿入されて封止される溝部が形成されることを特徴とする。これにより、簡単な構成および容易な組み立て性で、第１カバー部材に対し第２カバー部材を気密に取り付けることが可能となる。
【００２２】
【発明の実施の形態】
以下に、本発明にかかる眼保護用カバーの好適な一実施形態を、添付図面を参照して詳細に説明する。本実施形態にかかる眼保護用カバー１は図１〜図３に示すように、主に左右の両眼を含む顔面領域Ｐに、これら左右の両眼を一連に正面から覆うべく左眼左側の顔面領域Ｑから右眼右側の顔面領域Ｑ（これらを以下、「目尻領域」という）にわたって連続的に形成された第１カバー部材２と、この第１カバー部材２に取り付けられる第２カバー部材３とから構成される。
【００２３】
第１カバー部材２は、視野を妨げないように、そしてまた装着時のフィット感が得られるように、無色透明若しくは着色された透明の可撓性のプレート状に形成される。この第１カバー部材２の素材としては、例えば相当の剛性を有し、かつ軽量で柔軟に撓み変形するポリカーボネイトなどの合成樹脂材を採用することができる。第１カバー部材２はスポーツ用のグラスやゴーグルなどと同様に、これを顔面Ｆの正面から見ると、左右方向中央から左部２ａおよび右部２ｂに向かうにしたがって、上下方向の寸法が順次狭まるように、その上部２ｃが眉に沿って垂れ下がり、またその下部２ｄが頬骨に沿って持ち上がるように形成される。
【００２４】
また、第１カバー部材２は平面的に見て、左右方向中央を最前部として、左部２ａおよび右部２ｂが顔面Ｆの形態に沿って後方へ向かって湾曲させて形成される。図示例にあっては、第１カバー部材２には、その可撓性を十分に活かすために、周囲に縁を形成しないフレームレスタイプのものが示されているが、必要に応じてフレーム付きで形成してもよい。第１カバー部材２の左右方向中央には、これを鼻に支持させるための第１支持部として、下方から上方に向かって逆Ｖ字状の窪み部４が形成される。窪み部４には、第１カバー部材２を鼻にかけたときに柔軟でソフトな感触が得られるように、軟質合成樹脂材で形成されたクッション５が設けられる。
【００２５】
また、第１カバー部材２の左部２ａおよび右部２ｂの先端には、ヒンジ６を介して第１カバー部材２を左右の耳にそれぞれ支持させるための第２支持部として、左右一対のテンプル７が設けられ、これらテンプル７は、ヒンジ６により第１カバー部材２に対して折り畳み自在に取り付けられる。テンプル７は、耳の後方で頭部を弾性的に柔軟に保持できるように、細径部分が長く形成されて弾性的な可撓性をもたせつつ、湾曲させて形成され、これによりソフトで良好な装着感が得られるようになっている。またテンプル７は、必要強度と耐久性を確保するために、ヒンジ６との連結部および芯となるコアがメタル材で形成される一方で、全体としては、軽量化のために合成樹脂材で形成される。
【００２６】
そして特に、本実施形態にかかる第１カバー部材２は、両眼上側のほぼ額下部に相当する顔面領域Ｒ（以下、「額下部領域」という）と向かい合うその上部２ｃ、並びに両眼下側のほぼ鼻骨から左右の頬骨にわたる顔面領域Ｓ（以下、頬骨領域」という）と向かい合うその下部２ｄが、これら領域Ｒ，Ｓとの間に間隙を隔てるように形成されるとともに、左部２ａおよび右部２ｂは、左眼左側および右眼右側の両眼の脇のこめかみ下方の目尻領域Ｑとの間の隙間を狭めるべく当該目尻領域Ｑに接近させて形成される。
【００２７】
これら各領域Ｑ〜Ｓに対して間隙を隔てる寸法取りや接近させる寸法取りについては、大きめの顔や小さめの顔、殊に頬骨の高い人については第１カバー部材２の下部２ｄの持ち上げ量を大きくするなど、顔面寸法やその形態に基づいて所定の標準を定め、この標準に従って寸法取りを行い、それに従って第１カバー部材２が成形されるようになっている。
【００２８】
このように構成される第１カバー部材２に取り付けられる第２カバー部材３は、第１カバー部材２の上部２ｃの形状に沿って左右の両目尻領域Ｑ間にわたって、左右方向へ長い帯状に形成される。そしてこの第２カバー部材３は、第１カバー部材２とこの第１カバー部材２で覆った両眼を含む顔面領域Ｐとの間に、空気流れを抑制するとともに水分を含む空気を滞留させる空気滞留空間Ｗを形成するために、第１カバー部材２の上部２ｃと額下部領域Ｒとの間の間隙を封鎖すべく、当該額下部領域Ｒに当接可能とされる。この第２カバー部材３の素材としては、これが当接され得る額下部領域Ｒに対し高い密着性でかつソフトな感触で当たるように、クッション性を有するもの、例えば軟質合成樹脂材を採用することができる。
【００２９】
第２カバー部材３についてさらに詳細に説明すると、図４にその側断面を示すように、この第２カバー部材３は、第１カバー部材２側の基部３ａと、この基部３ａから額下部領域Ｒ側へ庇状に延出された延出部３ｂとから構成される。基部３ａは、第１カバー部材２への取り付けのために厚肉に形成される。他方、延出部３ｂは、弾性変形によるクッション性を発揮するように全体が薄肉に形成されるとともに、額下部領域Ｒに近接するその先端３ｃが当該額下部領域Ｒに密着しやすいように幅広な平坦面で形成され、このような構成により延出部３ｂは、その形態上からも、額下部領域Ｒに当接されたときに高い密着性とクッション性を発揮するようになっている。
【００３０】
そしてまたこの第２カバー部材３は、第１カバー部材２に対し気密に取り付けられる。本実施形態にあっては図４に示すように、第２カバー部材３の基部３ａに第１カバー部材２の左右方向であるその長さ方向に沿って一連に溝部８が形成され、この溝部８にこれを封止して気密化すべく第１カバー部材２の外縁の一部である上部２ｃが挿入され、溝部８に充填しておいた接着剤もしくは粘着剤９によって第１カバー部材２の上部２ｃが溝部８内に固定されるようになっている。
【００３１】
また第２カバー部材３は図５に示すように、その長さ方向両端がヒンジ６や第１カバー部材２に固定されるようになっている。テンプル７を第１カバー部材２に取り付けるヒンジ６には、これに形成した２つのビス穴にそれぞれビス１０，１１が螺入されるように構成され、一方のビス１０は、ヒンジ６を第１カバー部材２に締結するとともに、他方のビス１１は、第２カバー部材３から垂下された固定片１２を、ヒンジ６とともに第１カバー部材２に共締めするようになっており、これにより第２カバー部材３の長さ方向両端が第１カバー部材２の左部２ａおよび右部２ｂに、ヒンジ６とともに固定される。
【００３２】
以上説明したように、第２カバー部材３は、第１カバー部材２に対して気密に取り付けられるとともに、第１カバー部材２の上部２ｃと額下部領域Ｒとの間の間隙を封鎖すべく当該額下部領域Ｒに当接可能とされ、これにより第１カバー部材２の左部２ａおよび右部２ｂとともに、当該第１カバー部材２と顔面領域Ｐとの間に空気滞留空間Ｗが形成されるようになっている。
【００３３】
さらに、この第２カバー部材３には、第１カバー部材２とこれに覆われた顔面領域Ｐとの間の空気滞留空間Ｗを、この空気滞留空間Ｗの外部と連通させて、これにより空気滞留空間Ｗから換気する機能を発揮する開口１３が形成される。本実施形態にあっては図１に示すように、第１カバー部材２は鼻骨上方の左右方向中央位置で最も高く形成されており、従ってこれにより第２カバー部材３の最上部となる眉間のあたりに図３に示すように、開口１３が第２カバー部材３の延出部３ｂを上下方向に貫通して形成される。
【００３４】
次に、本実施形態にかかる眼保護用カバー１の作用について説明する。窪み部４および左右一対のテンプル７をそれぞれ鼻および左右の耳に掛けて眼保護用カバー１を装着すると、第１カバー部材２によって、左右両眼を含む顔面領域Ｐを一連に正面から覆うことができる。一般に、上記顔面領域Ｐでは、これを上下左右の４方向に分けてみたとき、顔面Ｆの形態において個人差の大きい鼻や頬、頬骨は下方の頬骨領域Ｓに集中している。他方、額下部領域Ｒや目尻領域Ｑは、筋肉や皮下脂肪が少なく、比較的フラットな面となっている。
【００３５】
そこで本実施形態にあっては、目尻領域Ｑと第１カバー部材２の左部２ａおよび右部２ｂとの間の隙間は、これら左部２ａおよび右部２ｂの接近によって狭めるとともに、額下部領域Ｒと第１カバー部材２の上部２ｃとの間の間隙は、第２カバー部材３によってできるだけ封鎖することとしている。他方、第１カバー部材２の下部２ｄと頬骨領域Ｓとの間については、これら間の間隙がそのままとされる。
【００３６】
このように本実施形態にあっては、顔面領域Ｐを完全に封鎖するのではなく、第１カバー部材２で覆われる顔面領域Ｐの上下左右４つの領域Ｑ〜Ｓのうち、両目尻領域Ｑや額下部領域Ｒについては第１カバー部材２を接近させたり、第２カバー部材３を当接可能とする一方で、特に個人差が顕著な頬骨領域Ｓに対しては、第１カバー部材２との間の間隙を保持するようにすることで、個人個人で相当の違いがある顔面形態に対する眼保護用カバー１の寸法設定やデザインに融通を利かせることができるようにし、これにより眼保護用カバー１を一定の寸法設定で形成しても高いフレキシビリティを発揮して、顔面形状の異なるさまざまな人の使用に供することが可能となり、量産化に対応させることができる。
【００３７】
また、装着性や量産化を考慮して、第１カバー部材２の下部２ｄについては頬骨領域Ｓとの間に間隙を隔てるようにしている一方で、第１カバー部材２の左部２ａおよび右部２ｂを目尻領域Ｑに接近させて隙間を狭め、かつまた第２カバー部材３を、第１カバー部材２に対して気密に取り付けた上で、第１カバー部材２の上部２ｃと額下部領域Ｒとの間の間隙を封鎖すべく当該額下部領域Ｒに当接可能としたので、第１カバー部材２の下部２ｄに間隙があるとしても、左方および右方、そしてまた上方の第２カバー部材３によって、３方向に関しては空気の流通を制限することができて、これにより第１カバー部材２とこれに覆われた両眼を含む顔面領域Ｐとの間に空気滞留空間Ｗを形成することができる。
【００３８】
そしてこの空気滞留空間Ｗにより、安静状態だけに限らず、相当に速い動作をしても、外気が両眼の周りを吹き抜けるなどして両眼が外気に直接晒されてしまうことを確実に防ぐことができ、これにより眼への花粉の侵入を抑制したり、また両眼周りの保湿性を確保することができて涙の過剰な蒸発を押さえることができ、花粉症やドライアイの症状に対し、相当の軽減効果を期待することができる。
【００３９】
第２カバー部材３については、額下部領域Ｒに当接可能であるとしていて、従って第２カバー部材３が必ず額下部領域Ｒに当接されるものではないが、この第２カバー部材３によって、間隙を封鎖できないまでも狭めることはできて空気の流通を相当制限することができ、当接させた場合とほぼ同様の作用・効果が得られる。他方、仮に第２カバー部材３が額下部領域Ｒに強く当たってしまう場合には、第２カバー部材３の延出部先端３ｃを切除するなどすれば、当接具合の調整を行うことが可能である。
【００４０】
また、第２カバー部材３に、その素材と延出部３ｂの形態から良好なクッション性を持たせたので、額下部領域Ｒに第２カバー部材３を高い密着性で当接させることができ、空気滞留空間Ｗを高い密閉性で封鎖することができる。また、第１カバー部材２に可撓性を持たせたので、テンプル７を耳に掛ける際に深く掛けるようにすることで、第１カバー部材２の左部２ａおよび右部２ｂを目尻領域Ｑにできるだけ接近させることができて空気流通をさらに制限することができるとともに、頬骨領域Ｓに対して第１カバー部材２の下部２ｄを接近させることもできて、当該箇所の間隙も狭めることができる。
【００４１】
他方、第２カバー部材３に換気用の開口１３を設けるようにしたので、第１カバー部材２に曇りが生じても、これを除去することができる。空気滞留空間Ｗの空気は体温によってその外部の空気温度よりも高くなる傾向にあり、これによる涙の蒸発などによって相当の水分を含む空気が滞留される。このため、空気中の水分が過度に多くなったり、外気温が低いと、第１カバー部材２に曇りが生じてしまう。
【００４２】
本実施形態にあっては、第２カバー部材３の開口１３によって、空気滞留空間Ｗ内に対流を生じさせ、これにより水分を含む空気を適当に開口１３から外部へ一方向へ流出させることができるので、第１カバー部材２に曇りが発生することを阻止できるとともに、発生した曇りを速やかに除去することができる。この空気の流れは、空気滞留空間Ｗから外部への一方向となるので、外部から開口１３を介して花粉や塵埃等が侵入してくることも防止できる。そしてさらに、開口１３を第２カバー部材３の最上部に形成するようにしたので、その位置よりも下方となる第１カバー部材２の全面から効率よく曇りを除去することができる。
【００４３】
さらに、第１カバー部材２に第２カバー部材３を気密に取り付ける構成に関し、第２カバー部材３に、第１カバー部材２の外縁である上部２ｃが挿入される溝部８を形成し、第１カバー部材２の挿入によって溝部８を封止して気密性を確保するようにしたので、構造が簡単であるとともに容易に組み立てることができ、生産性を向上させることができる。
【００４４】
【発明の効果】
以上要するに、本発明にかかる眼保護用カバーにあっては、個人個人で違いのある顔面の形態を問わず、装着性に高いフレキシビリティがあって量産化に適しているとともに、花粉の侵入の抑制や保湿性を確保できて、花粉症やドライアイの症状に対し相当の軽減効果を期待することができる。
【図面の簡単な説明】
【図１】本発明にかかる眼保護用カバーの好適な一実施形態を示す正面図である。
【図２】図１に示した眼保護用カバーの側面図である。
【図３】図１中、Ａ−Ａ線矢視断面図である。
【図４】図１中、Ｂ−Ｂ線矢視断面図である。
【図５】図１に示した眼保護用カバーに用いられる第２カバー部材の取り付け状態の一例を示す要部拡大図である。
【符号の説明】
１  眼保護用カバー
２  第１カバー部材
２ａ  第１カバー部材の左部
２ｂ  第１カバー部材の右部
２ｃ  第１カバー部材の上部
２ｄ  第１カバー部材の下部
３  第２カバー部材
３ｂ  第２カバー部材の延出部
４  窪み部
７  テンプル
８  溝部
１３  開口
Ｐ  左右の両眼を含む顔面領域
Ｑ  目尻領域
Ｒ  額下部領域
Ｓ  頬骨領域
Ｗ  空気滞留空間
【図１】
2004216034.tif 000003
【図２】
2004216034.tif 000004
【図３】
2004216034.tif 000005
【図４】
2004216034.tif 000006
【図５】
2004216034.tif 000007